(57)【要約】【課題】コーンリング式等の摩擦式無段変速装置をハイブリッド駆動装置に適用して、コンパクトな構成で確実なトルク伝達と変速を可能とする。【解決手段】ケース１１を隔壁１２により第１の空間Ａと第２の空間Ｂに油密状に区画する。第１の空間Ａに摩擦式無段変速装置３を収納すると共にトラクション用オイルを充填する。第２の空間Ｂに、電気モータ２の回転をディファレンシャル装置５に伝達する伝達経路の一部となるギヤ伝動装置７を収納すると共に潤滑用オイルを充填する。【選択図】図１
2011084267.tif 000002
【特許請求の範囲】
【請求項１】
エンジンに連動する入力軸と、
該入力軸に駆動連結する入力部材及び出力部材を有し、これら入力部材と出力部材との接触位置を変更すると共に、該接触位置に介在する油膜の剪断力により前記入力部材の回転を無段に変速して前記出力部材に伝達する摩擦式無段変速装置と、
専用の出力軸を有する電気モータと、
ディファレンシャル装置と、
前記電気モータの出力軸の回転を前記ディファレンシャル装置に伝達する動力伝達経路の少なくとも一部であり、噛合による回転伝達手段から構成されるギヤ伝動装置と、
前記摩擦式無段変速装置を収納しかつトラクション用オイルが充填された第１の空間と、前記ギヤ伝動装置を収納しかつ潤滑用オイルが充填された第２の空間とを少なくとも有し、これら第１の空間と第２の空間とを油密状に区画してなるケースと、
を備えたことを特徴とするハイブリッド駆動装置。
【請求項２】
前記電気モータの出力軸を第１軸とし、
一軸状に配置された前記入力軸及び前記摩擦式無段変速装置の入力部材を第２軸とし、
前記摩擦式無段変速装置の出力部材を第３軸とし、
前記ディファレンシャル装置に連結する左右アクスル軸を第４軸とし、
前記第１軸、第２軸、第３軸及び第４軸を互いに平行に配置して前記ケースに回転自在に支持すると共に、これら第１軸、第２軸、第３軸及び第４軸に、前記ギヤ伝動装置を構成する各ギヤを配置し、
前記ギヤ伝動装置に対して、前記電気モータ及び前記摩擦式無段変速装置を軸方向一方に配置し、他方にてエンジンを連結し得る、
請求項１記載のハイブリッド駆動装置。
【請求項３】
前記ギヤ伝動装置は、前記電気モータの出力軸の回転を前記摩擦式無段変速装置の前記入力部材に伝達すると共に、前記出力部材の回転を前記ディファレンシャル装置に伝達してなる、
請求項１又は２記載のハイブリッド駆動装置。
【請求項４】
前記ケースは、
前記電気モータの出力軸の一方側端部、前記摩擦式無段変速装置の入力部材及び出力部材の一方側端部並びに前記ディファレンシャル装置のデフケースの一方側部を支持する第１のケース部材と、
前記電気モータの出力軸の他方側端部、前記入力軸、前記摩擦式無段変速装置の出力部材を装着した出力軸及び前記ディファレンシャル装置のデフケースの他方側部を支持する第２のケース部材と、
前記摩擦式無段変速装置の入力部材及び出力部材の他方側端部を支持する隔壁と、を有し、
前記第１のケース部材と前記第２のケース部材とを連結すると共に、前記隔壁にて前記第１の空間と第２の空間とを油密状に区画してなる、
請求項１ないし３のいずれか記載のハイブリッド駆動装置。
【請求項５】
前記ギヤ伝動装置は、前記電気モータの出力軸に設けられた出力ギヤと、前記ディファレンシャル装置の入力部となるデフリングギヤとを有し、前記出力ギヤとデフリングギヤとが、軸方向でオーバラップするように配置されてなる、
請求項１ないし４のいずれか記載のハイブリッド駆動装置。
【請求項６】
前記ギヤ伝動装置は、前記入力軸に設けられ、前記出力ギヤに連動する中間ギヤと、前記摩擦平式無段変速装置の出力部材と回転方向に一体的に設けられた無段変速装置出力ギヤと、を有し、
前記中間ギヤ及び無段変速装置出力ギヤが、前記出力ギヤ及び前記デフリングギヤと軸方向でオーバラップするように配置されてなる、
請求項５記載のハイブリッド駆動装置。
【請求項７】
前記出力ギヤ及び前記中間ギヤが歯車であり、これら両歯車の間にアイドラ歯車を介して動力伝達してなる、
請求項６記載のハイブリッド駆動装置。
【請求項８】
前記出力ギヤ及び前記中間ギヤがスプロケットであり、これら両スプロケットの間にチェーンを巻掛けて動力伝達してなる、
請求項６記載のハイブリッド駆動装置。
【請求項９】
前記アイドラ歯車が、前記電気モータと径方向でオーバラップして配置されてなる、
請求項７記載のハイブリッド駆動装置。
【請求項１０】
前記摩擦式無段変速装置は、前記入力部材及び前記出力部材がその軸線を互いに平行かつ径大部と径小部が軸方向に逆になるように配置された円錐形状の摩擦車からなり、これら両摩擦車の対向する傾斜面に挟持されるリングを軸方向に移動して無段に変速するコーンリング式無段変速装置である、
請求項１ないし９のいずれか記載のハイブリッド駆動装置。
【請求項１１】
前記入力軸と前記摩擦式無段変速装置の入力部材とがスプラインにより駆動連結されてなる、
請求項１ないし１０のいずれか記載のハイブリッド駆動装置。
【発明の詳細な説明】
【技術分野】
【０００１】
本発明は、エンジンと電気モータとで車輪を駆動し得るハイブリッド駆動装置に係り、詳しくは電気モータと、コーンリング無段変速装置等の摩擦式無段変速装置とを一体に組込んだハイブリッド駆動装置に関する。
【背景技術】
【０００２】
従来、エンジンと電気モータとで車輪を駆動するハイブリッド駆動装置にあって、１個の電気モータと無段変速装置とを組合せたものが知られている。一般に、該ハイブリッド駆動装置用の無段変速装置として、１対のプーリとこれらプーリに巻掛けられる金属製ベルト（又はチェーン）からなり、プーリの有効径を変更することにより無段に変速するベルト式無段変速装置が用いられている。
【０００３】
一方、１対の円錐状の摩擦車とこれら摩擦車の間に介在する金属製のリングとからなり、リングを、前記両摩擦車との接触部を変更するように移動することにより無段に変速するコーンリング式の無段変速装置が知られている（例えば引用文献１参照）。
【先行技術文献】
【特許文献】
【０００４】
【特許文献１】特表２００６−５０１４２５号公報（ＪＰ２００６−５０１４２５Ａ）
【発明の概要】
【発明が解決しようとする課題】
【０００５】
従来のハイブリッド駆動装置は、エンジン出力軸に同軸状に電気モータが配置されると共に、ベルト式無段変速装置と複数のギヤからなるギヤ伝動装置とが同じケース内に収納されて、同じＡＴＦ等の潤滑用オイルにより潤滑されている。
【０００６】
上記コーンリング式無段変速装置を前記ハイブリッド駆動装置用の無段変速装置に適用することも考えられる。この場合、ベルト式無段変速装置にあっては、プーリと金属ベルトとの接触面積が比較的広く、潤滑用オイルを介在しても所望の伝達トルクを得ることができるが、円錐形状の摩擦車と金属リングとの接触面積は小さく、潤滑用オイルでは所望の伝達トルクを得ることが困難であって、十分な剪断トルクが得られる専用のトラクション用オイルを介在することが好ましい。
【０００７】
また、ベルト式無段変速装置は、比較的軸方向寸法が小さく、電気モータをエンジン出力軸と同軸に配置することが可能であるが、コーンリング式等の摩擦式無段変速装置は、比較的軸方向に長くなり、自動車搭載上の制限上、電気モータの配置等ハイブリッド駆動装置全体のレイアウトを工夫する必要がある。
【０００８】
そこで、本発明は、コーンリング式の摩擦式無段変速装置を、ギヤ伝動装置を収納した空間から区画した密閉空間に収納し、該密閉空間にトラクション用オイルを充填し、もってコンパクトな構成で確実なトルク伝達と変速を可能としたハイブリッド駆動装置を提供することを目的とするものである。
【課題を解決するための手段】
【０００９】
本発明は、エンジンに連動する入力軸（６）と、
該入力軸に駆動連結する入力部材（２２）及び出力部材（２３）を有し、これら入力部材と出力部材との接触位置を変更すると共に、該接触位置に介在する油膜の剪断力により前記入力部材の回転を無段に変速して前記出力部材に伝達する摩擦式無段変速装置（３）と、
専用の出力軸（４）を有する電気モータ（２）と、
ディファレンシャル装置（５）と、
前記電気モータ（２）の出力軸（４）の回転を前記ディファレンシャル装置（５）に伝達する動力伝達経路の少なくとも一部であり、噛合による回転伝達手段（１６，１７，１９，４１，４４，１６’，１７’，１９’）から構成されるギヤ伝動装置（７）と、
前記摩擦式無段変速装置（３）を収納しかつトラクション用オイルが充填された第１の空間（Ａ）と、前記ギヤ伝動装置（７）を収納しかつ潤滑用オイルが充填された第２の空間（Ｂ）とを少なくとも有し、これら第１の空間と第２の空間とを油密状に区画（１２）してなるケース（１１）と、
を備えたことを特徴とするハイブリッド駆動装置にある。
【００１０】
なお、本発明において、ギヤ（gear）は、歯車（toothed gear）及びスプロケット（sprocket，鎖歯車）を含み、噛合による回転伝達手段を意味し、従ってギヤ伝動装置は、該噛合回転伝達手段による伝動装置を意味する。また、前記電気モータの専用の出力軸（４）とは、入力軸（６）、無段変速装置の入力部材（２２）、出力部材（２３）及びディファレンシャル装置（５）の軸（３９ｌ，３９ｒ）とは異なる軸を意味する。
【００１１】
前記電気モータ（２）の出力軸（４）を第１軸（Ｉ）とし、
同軸状に配置された前記入力軸（６）及び前記摩擦式無段変速装置（３）の入力部材（２２）を第２軸（II）とし、
前記摩擦式無段変速装置の出力部材（２３）を第３軸（III）とし、
前記ディファレンシャル装置（５）に連結する左右アクスル軸（３９ｌ，３９ｒ）を第４軸（IV）とし、
前記第１軸、第２軸、第３軸及び第４軸を互いに平行に配置して前記ケース（１１）に回転自在に支持すると共に、これら第１軸（Ｉ）、第２軸（II）、第３軸（III）及び第４軸（IV）に、前記ギヤ伝動装置（７）を構成する各ギヤ（１６，１６’，１９，１９’４４，４１）を配置し、
前記ギヤ伝動装置（７）に対して、前記電気モータ（２）及び前記摩擦式無段変速装置（３）を軸方向一方に配置し、他方にてエンジンを連結し得る。
【００１２】
前記ギヤ伝動装置（７）は、前記電気モータ（２）の出力軸（４）の回転を前記摩擦式無段変速装置（３）の前記入力部材（２２）に伝達すると共に、前記出力部材（２３）の回転を前記ディファレンシャル装置（５）に伝達してなる。
【００１３】
前記ケース（１１）は、
前記電気モータ（２）の出力軸（４）の一方側端部（１３）、前記摩擦式無段変速装置（３）の入力部材（２２）及び出力部材（２３）の一方側端部（２６，２９）並びに前記ディファレンシャル装置（５）のデフケース（３３）の一方側部（３５）を支持する第１のケース部材（９）と、
前記電気モータ（２）の出力軸（４）の他方側端部（１５）、前記入力軸（６）、前記摩擦式無段変速装置（３）の出力部材（２３）を装着した出力軸（２３ａ）及び前記ディファレンシャル装置（５）のデフケース（３３）の他方側部（３６）を支持する第２のケース部材（１０）と、
前記摩擦式無段変速装置（３）の入力部材（２２）及び出力部材（２３）の他方側端部（２７，３０）を支持する隔壁（１２）と、を有し、
前記第１のケース部材（９）と前記第２のケース部材（１０）とを連結すると共に、前記隔壁（１２）にて前記第１の空間（Ａ）と第２の空間（Ｂ）とを油密状に区画してなる。
【００１４】
前記ギヤ伝動装置（７）は、前記電気モータ（２）の出力軸（４）に設けられた出力ギヤ（１６，１６’）と、前記ディファレンシャル装置（５）の入力部となるデフリングギヤ（４１）とを有し、前記出力ギヤとデフリングギヤとが、軸方向でオーバラップするように配置されてなる。
【００１５】
前記ギヤ伝動装置（７）は、前記入力軸（６）に設けられ、前記出力ギヤ（１６，１６’）に連動する中間ギヤ（１９）と、前記摩擦平式無段変速装置（３）の出力部材（２３）と回転方向に一体的に設けられた無段変速装置出力ギヤ（４４）と、を有し、
前記中間ギヤ（１９）及び無段変速装置出力ギヤ（４４）が、前記出力ギヤ（１６，１６’）及び前記デフリングギヤ（４１）と軸方向でオーバラップするように配置されてなる。
【００１６】
例えば図１を参照して、前記出力ギヤ（１６）及び前記中間ギヤ（１９）が歯車であり、これら両歯車の間にアイドラ歯車（１７）を介して動力伝達してなる。
【００１７】
例えば図３を参照して、前記出力ギヤ（１６）及び前記中間ギヤ（１９’）がスプロケットであり、これら両スプロケットの間にチェーン（１７’）を巻掛けて動力伝達してなる。
【００１８】
前記アイドラ歯車（１９）が、前記電気モータ（２）と径方向でオーバラップして配置されてなる。
【００１９】
前記摩擦式無段変速装置は、前記入力部材及び前記出力部材がその軸線を互いに平行かつ径大部と径小部が軸方向に逆になるように配置された円錐形状の摩擦車（２２，２３）からなり、これら両摩擦車の対向する傾斜面に挟持されるリング（２５）を軸方向に移動して無段に変速するコーンリング式無段変速装置（３）である。
【００２０】
前記入力軸（６）と前記摩擦式無段変速装置（３）の入力部材（２２）とがスプライン（Ｓ）により駆動連結されてなる。
【００２１】
なお、上記カッコ内の符号は、図面と対照するためのものであるが、これにより特許請求の範囲記載の構成に何等影響を及ぼすものではない。
【発明の効果】
【００２２】
請求項１に係る本発明によると、ケースが、油密状に区画された、トラクションオイルを充填した第１の空間と、潤滑用オイルを充填した第２の空間とを有し、第１の空間に摩擦式無段変速装置が収納され、第２の空間にギヤ伝動装置を収納するので、摩擦式無段変速装置は、大きな剪断力、特に極圧状態において大きな剪断力を有するトラクション用オイルの油膜を接触位置に介在し、該剪断力によりトルクを伝達して、入力部材及び出力部材等の摩擦伝動部材を早期に摩耗することなく所望のトルクを伝達すると共に素速くかつ滑らかな変速が可能となり、かつギヤ伝動装置は、潤滑用オイルを介在して大きな動力損を生ずることなく、高い伝動効率でかつ滑らかに動力伝達することができる。
【００２３】
これにより、発進から高速までの大きな変速域及び加速、減速、坂路等の大きなトルク変動に対応するハイブリッド駆動装置として、電気モータの動力を高い効率でディファレンシャル装置に伝達すると共に、エンジンの回転を素速くかつ滑らかに無段に変速してディファレンシャル装置に伝達して、電気モータを適切にアシストしつつ、エンジンを素速く適切な出力となるよう制御して、簡単な構成からなる摩擦式無段変速装置を用いることによる比較的安価な構成にて、充分な燃費向上及びＣＯ２削減効果が可能なハイブリッド駆動装置を提供することができる。
【００２４】
請求項２に係る本発明によると、エンジンに連動する入力軸と無段変速装置の入力軸を同軸上に配置すると共に、該第２軸と異なる第１軸上に電気モータを配置し、電気モータの配置スペースを確保して軸方向に余裕のある電気モータの採用を可能とし、各軸にそれぞれギヤ伝動装置のギヤを配置し、該ギヤ伝動装置に対して、軸方向一方に電気モータ及び無段変速装置を配置し、他方にてエンジンを連結するので、ハイブリッド駆動装置全体のレイアウトをコンパクトにまとめて、比較的軸方向に長い摩擦式無段変速装置を用いるものでありながら、車輌、特に制限の厳しい小型乗用車の搭載を可能とすることができる。
【００２５】
請求項３に係る本発明によると、電気モータの回転も無段変速装置を介してディファレンシャル装置に伝達するので、電気モータの小容量化が可能となる。
【００２６】
請求項４に係る本発明によると、ケースは、第１のケース部材及び第２のケース部材を合せる合わせ（割り）ケースからなり、隔壁により第１の空間と第２の空間に油密状に区画したので、比較的大きなスラスト力が作用する摩擦式無段変速装置等の各軸を適切に軸支持して、堅牢でコンパクトな構成でもって確実に第１及び第２の空間を油密に区画したケースを得ることができる。
【００２７】
請求項５に係る本発明によると、電気モータ出力ギヤとデフリングギヤとを軸方向にオーバラップするように配置し、請求項６に係る本発明によると、更に中間ギヤ及び無段変速装置出力ギヤをも軸方向にオーバラップするように配置するので、ギヤ伝動装置をコンパクト化、特に軸方向にコンパクト化することができる。これにより、ハイブリッド駆動装置全体のコンパクト化も可能となり、更に第２の空間を狭く（小容量）して、潤滑用オイルの充填量を少なくできるものでありながら、デフリングギヤによるオイルのかき上げを確実にすると共に、上記オーバラップした他のギヤに確実に潤滑用オイルを供給することができる。
【００２８】
請求項７に係る本発明によると、アイドラ歯車を有するので、モータ出力ギヤにピニオン等の小径歯車を用いることが可能となり、中間ギヤへの減速比を大きくして、電気モータに小容量、小型のものを適用することができ、ハイブリッド駆動装置の更なるコンパクト化が可能となる。
【００２９】
請求項８に係る本発明によると、モータ出力ギヤ及び中間ギヤをスプロケットとして、電気モータの回転をチェーンを介して動力伝達するので、電気モータと入力軸及び無段変速装置の入力部材との軸間距離の設定の自由度を向上することができる。
【００３０】
請求項９に係る本発明によると、アイドラ歯車が電気モータと径方向にオーバラップするように配置するので、アイドラ軸の隔壁の軸支持部分に干渉することなく、無段変速装置の入力部材と電気モータとを近づけて配置することが可能となり、ハイブリッド駆動装置の更なるコンパクト化を図ることができる。
【００３１】
請求項１０に係る本発明によると、摩擦式無段変速装置が、２個の円錐形状の摩擦車及びリングからなるコーンリング式無段変速装置を採用したので、所望の変速比を所定の空間（大きさ）で得ることができ、かつ摩擦接離位置が極圧状態となってトラクション用オイルが有効に機能する。また、入力側摩擦車及び出力側摩擦車が互いに平行に配置され、これら軸（第２軸、第３軸）にギヤを装着してギヤ伝動装置をコンパクトな構成とすることができ、第２の空間を幅狭にすることにより、比較的軸方向に長い上記コーンリング式無段変速装置の採用が可能となり、全体で合理的なハイブリッド駆動装置とすることができる。
【００３２】
請求項１１に係る本発明によると、エンジンに連動する入力軸の振動がスプラインにより吸収され、無段変速装置の入力部材に伝達されることがなく、入力部材を高い精度で支持することができ、接触位置に大きな接触圧を高い精度で作用して、エンジン動力を伝達するハイブリッド駆動装置に用いるものでありながら、摩擦式無段変速装置が滑らかで確実な動力伝達と変速を行うことができる。
【図面の簡単な説明】
【００３３】
【図１】本発明を適用したハイブリッド駆動装置を示す正面断面図。
【図２】その側面図。
【図３】一部変更した実施の形態のハイブリッド駆動装置を示す正面断面図。
【発明を実施するための形態】
【００３４】
図面に沿って、本発明を適用したハイブリッド駆動装置を説明する。ハイブリッド駆動装置１は、図１及び図２に示すように、電気モータ２と、コーンリング式無段変速装置（摩擦式無段変速装置）３と、ディファレンシャル装置５と、図示しないエンジンの出力軸と連動する入力軸６と、ギヤ伝動装置７とを有する。上記各装置及び軸は、２個のケース部材９，１０を合せて構成されるケース１１に収納されており、かつ該ケース１１は、隔壁１２により第１の空間Ａと第２の空間Ｂとに油密状に区画されている。
【００３５】
電気モータ２は、第１のケース部材９に固定されたステータ２ａと出力軸４に設けられたロータ２ｂとを有し、出力軸４は、一方側端部が第１のケース部材９にベアリング１３を介して回転自在に支持されていると共に他方側端部が第２のケース部材１０にベアリング１５を介して回転自在に支持される。出力軸４の一方側には歯車（ピニオン）からなる出力ギヤ１６が形成されており、該出力ギヤ１６はアイドラ歯車１７を介して入力軸６に設けられた中間ギヤ（歯車）１９に噛合している。
【００３６】
アイドラ歯車１７の軸１７ａは一方側端部が隔壁１２にベアリング２０を介して回転自在に支持されており、他方側端部が第２のケース部材１０にベアリング２１を介して回転自在に支持されている。前記アイドラ歯車１７は、側面視（軸方向から見た状態）、電気モータ２と一部径方向にオーバラップした状態で配置されている。即ち、ピニオンからなる出力ギヤ１６が小径からなり、入力軸６の中間ギヤ１９が大径からなり、出力ギヤ（歯車）１６からアイドラ歯車１７を介して中間ギヤ１９に伝達されるギヤ比を大きくする（大きな減速比）ことが可能となる。また、アイドラ歯車軸１７ａの一方側端部を支持するベアリング２０を電気モータ２の出力軸４に近づけて配置でき、隔壁１２の該ベアリング支持部がコーンリング式無段変速装置３の支持部分と干渉することなく、該無段変速装置３を電気モータ２に近づけて配置することが可能となる。
【００３７】
コーンリング式無段変速装置３は、入力部材である円錐形状の摩擦車２２と、出力部材である同じく円錐形状の摩擦車２３と、金属製のリング２５とからなる。前記両摩擦車２２，２３は、互いに平行にかつ径大部と径小部が軸方向に逆になるように配置されており、上記リング２５が、これら両摩擦車２２，２３の対向する傾斜面に挟持されるようにかつ両摩擦車のいずれか一方例えば入力側摩擦車２２を取囲むように配置されている。両摩擦車の少なくとも一方には大きなスラスト力が作用しており、上記リング２５は上記スラスト力に基づく比較的大きな挟圧力により挟持されている。具体的には、出力側摩擦車２３と出力軸２３ａとの間には軸方向で対向する面にカム機構が形成されており、出力側摩擦車２３に、伝達トルクに応じた矢印Ｄ方向のスラスト力が発生し、該スラスト力に対抗する方向に支持されている入力側摩擦車２２との間でリング２５に大きな挟圧力が生じる。
【００３８】
入力側摩擦車２２は、その一方側（径大部側）端部がローラベアリング２６を介して第１のケース部材９に支持されると共に、その他方側（径小部側）端部がテーパードローラベアリング２７を介して隔壁１２に支持されている。出力側摩擦車２３は、その一方側（径小部側）端部がローラベアリング２９を介して第１のケース部材９に支持されると共に、その他方側（径大部側）端部がローラ（ラジアル）ベアリング３０を介して隔壁１２に支持されている。該出力側摩擦車２３に上述した矢印Ｄ方向のスラスト力を付与した出力軸２３ａは、その他方側端がテーパードローラベアリング３１を介して第２のケース部材１０に支持されている。入力側摩擦車２２の他方側端部は、ベアリング２７のインナレースを段部及びナット３２により挟持されており、該入力側摩擦車２２にリング２５を介して作用する出力側摩擦車２３からの矢印Ｄ方向のスラスト力が、上記テーパードローラベアリング２７により担持される。一方、出力軸２３ａには、出力側摩擦車２３に作用するスラスト力の反力が反矢印Ｄ方向に作用し、該スラスト反力が上記テーパードローラベアリング３１により担持される。
【００３９】
上記リング２５は、ボールスクリュ等の軸方向移動手段により軸方向に移動して、入力側摩擦車２２及び出力側摩擦車２３の接触位置を変更して、入力部材２２と出力部材２３との間の回転比を無段に変速する。上記伝達トルクに応じたスラスト力Ｄは、上記両テーパードローラベアリング２７，３１を介して一体的なケース１１内にて互いに打消され油圧等の外力としての平衡力を必要としない。
【００４０】
ディファレンシャル装置５はデフケース３３を有しており、該デフケース３３は、その一方側端部が第１のケース部材９にベアリング３５を介して支持されていると共に他方側端部が第２のケース部材１０にベアリング３６を介して支持されている。該デフケース３３の内部には軸方向に直交するシャフトが取付けられており、該シャフトにデフキャリヤとなるベベルギヤ３７，３７が係合されており、また左右のアクスル軸３９ｌ，３９ｒが支持され、これらアクスル軸に上記デフキャリヤと噛合するベベルギヤ４０，４０が固定されている。更に、上記デフケース３３の外部には大径のデフリングギヤ（歯車）４１が取付けられている。
【００４１】
前記無段変速装置出力軸２３ａに歯車（ピニオン）４４が形成されており、該歯車４４は前記デフリングギヤ４１が噛合している。前記モータ出力ギヤ（ピニオン）１６、アイドラ歯車１７及び中間ギヤ（歯車）１９、並びに無段変速装置出力ギヤ（ピニオン）４４及びデフリングギヤ（歯車）４１が前記ギヤ伝動装置７を構成している。上記モータ出力ギヤ１６とデフリングギヤ４１とが、軸方向でオーバラップするように配置されており、更に中間ギヤ１９及び無段変速装置出力ギヤ４４が、モータ出力ギヤ１６及びデフリングギヤ４１と軸方向でオーバラップするように配置されている。なお、無段変速装置出力軸２３ａにスプライン係合されているギヤ４５は、シフトレバーのパーキング位置にて出力軸をロックするパーキングギヤである。また、ギヤとは、歯車及びスプロケットを含む噛合回転伝達手段を意味するが、本実施の形態においては、ギヤ伝動装置は、すべて歯車からなる歯車伝動装置を意味する。
【００４２】
前記入力軸６は、その一端にて無段変速装置３の入力部材２２にスプラインＳにより係合（駆動連結）しており、かつその他端側は、第２のケース部材１０により形成される第３の空間Ｃ内に収納されるクラッチ（図示せず）を介してエンジンの出力軸に連動している。第２のケース部材１０の上記第３の空間Ｃ側は開放されており、図示しないエンジンに連結される。
【００４３】
前記ギヤ伝動装置７は、電気モータ２及び前記第１の空間Ａと第３の空間Ｃとの軸方向間部分となる第２の空間Ｂ内に収納されており、該第２の空間Ｂは、第２のケース部材１０と隔壁１２とにより形成される。前記隔壁１２の軸支持部分（２７，３０）は、オイルシール４７，４９により油密状に区画されていると共に、第２のケース部材１０及び第１のケース部材９の軸支持部分もオイルシール５０，５１，５２により軸封されて、上記第２の空間Ｂは油密状に構成されており、該第２の空間ＢにはＡＴＦ等の潤滑用オイルが所定量充填されている。第１のケース部材９及び隔壁１２で形成される第１の空間Ａも、同様に油密状に構成されており、該第１の空間Ａには、剪断力、特に極圧状態における剪断力の大きなトラクション用オイルが所定量充填されている。
【００４４】
図２を参酌して、電気モータ２の出力軸４を第１の軸Ｉとし、同軸状に配置されている入力軸６及び無段変速装置入力部材２２を第２の軸IIとし、無段変速装置出力部材２３及びその出力軸２３ａを第３軸IIIとし、左右アクスル軸３９ｌ，３９ｒを第４軸IVとし、更にアイドラ歯車軸１７ａを第５軸Ｖとして、これら各軸は、すべて平行に配置されてケース１１に支持されていると共に、ギヤ伝動装置７のギヤ（歯車）１６，１７，１９，４４，４１が配置されている。該ギヤ伝動装置７に対して、電気モータ２及び無段変速装置３が軸方向一方に配置され、他方にてエンジンが連結される。また、電気モータ２と同軸の第１軸Ｉが最も上位置となり、ディファレンシャル装置５と同軸の第４軸IVが最も下位置となるように配置され、ディファレンシャル装置５のリングギヤ４１の一部が上記第２の空間Ｂ内の潤滑オイルのオイル溜りに浸っている。
【００４５】
ついで、上述したハイブリッド駆動装置１の作動について説明する。本ハイブリッド駆動装置１は、ケース１１の第３の空間Ｃ側を内燃エンジンに結合され、かつ該エンジンの出力軸をクラッチを介して入力軸６に連動して用いられる。エンジンからの動力が伝達される入力軸６の回転は、スプラインＳを介してコーンリング式無段変速装置３の入力側摩擦車２２に伝達され、更にリング２５を介して出力側摩擦車２３に伝達される。
【００４６】
この際、両摩擦車２２，２３とリング２５との間は、出力側摩擦車２３に作用する矢印Ｄ方向のスラスト力により大きな接触圧が作用し、かつ第１の空間Ａはトラクション用オイルが充填されているので、上記両摩擦車とリングとの間には、該トラクション用オイルの油膜が介在した極圧状態となる。この状態では、トラクション用オイルは大きな剪断力を有するので、該油膜の剪断力により両摩擦車とリングとの間に動力伝達が行われる。これにより、金属同士の接触でありながら、摩擦車及びリングが摩耗することなく、所定のトルクを滑ることなく伝達し得、かつリング２５を軸方向に滑らかに移動することにより、両摩擦車との接触位置を変更して無段に変速する。
【００４７】
該無段変速された出力側摩擦車２３の回転は、出力軸２３ａ、出力ギヤ４４及びデフリングギヤ４１を介してディファレンシャル装置５のデフケース３３に伝達され、左右のアクスル軸３９ｌ，３９ｒに動力分配されて、車輪（前輪）を駆動する。
【００４８】
一方、電気モータ２の動力は、出力ギヤ１６、アイドラ歯車１７及び中間ギヤ１９を介して入力軸６に伝達される。該入力軸６の回転は、先の説明と同様に、コーンリング式無段変速装置３を介して無段に変速され、更に出力ギヤ４４、デフリングギヤ４１を介してディファレンシャル装置５に伝達される。上記各ギヤ１６，１７，１９，４４，４１，３７，４０からなるギヤ伝動装置７は、潤滑用オイルが充填される第２の空間Ｂに収納されており、各ギヤの噛合に際して潤滑用オイルが介在して滑らかに動力伝達される。この際、第２の空間Ｂの下方位置に配置されたデフリングギヤ４１（図２参照）は、大径ギヤからなることと相俟って、潤滑用オイルをかき上げ、他のギヤ（歯車）１６，１７，１９，４４に確実にかつ充分な量の潤滑用オイルを供給する。
【００４９】
上記エンジン及び電気モータの作動形態、即ちハイブリッド駆動装置１として作動形態は、必要に応じて各種採用可能である。一例として、車輌発進時、クラッチを切断すると共にエンジンを停止し、電気モータ２のトルクのみにより発進し、所定速度になると、エンジンを始動して、エンジン及び電気モータの動力により加速し、巡航速度になると、電気モータをフリー回転又は回生モードとして、エンジンのみにより走行する。減速、制動時は、電気モータを回生してバッテリを充電する。また、クラッチを発進クラッチとして使用し、エンジンの動力により、モータトルクをアシストとして用いつつ発進するように用いてもよい。
【００５０】
電気モータ２が入力軸６等の第２軸IIとは別軸である第１軸に配置され、かつ無段変速装置３と軸方向にオーバラップする位置に配置され、かつギヤ伝動装置７は、無段変速装置３及び電気モータ２とエンジンとの間の比較的狭いスペースに配置され、無段変速装置がコーンリング式無段変速装置のように比較的軸方向にスペースを必要とする摩擦車式無段変速装置であっても、ハイブリッド駆動装置１全体をコンパクトにまとめて、例えば小型乗用車等の比較的狭い設置スペースであっても搭載可能となる。特に、各ギヤ１６，１７，１９，４４，４１が軸方向にオーバラップして、上記電気モータ２の配置と合せて、軸方向寸法をコンパクトにし、かつアイドラ歯車１７を電気モータ２の径方向にオーバラップして、電気モータと無段変速装置を接近配置でき、径方向寸法をコンパクトに構成できる。
【００５１】
また、モータ出力ギヤ１６と中間ギヤ１９との間にアイドラ歯車１７を介在して、出力ギヤ１６から中間ギヤ１９へ大きな減速比で動力伝達することが可能となり、必要とするトルクを小型モータ２を用いて得ることができ、コンパクト及びコストダウンに寄与する。
【００５２】
ついで、図３に沿って一部変更した実施の形態について説明する。なお、本実施の形態は、モータ出力ギヤから中間ギヤへの伝動形態が相違するだけで、他の部分は先の実施の形態と同一であるので、同一部分は同一符号を付して説明を省略する。本実施の形態は、モータ出力ギヤ１６’及び中間ギヤ１９’がスプロケット（鎖歯車）からなり、両スプロケット１６’，１９’の間にサイレントチェーン１７’が巻掛けられている。出力ギヤ１６’はモータ出力軸４にスプライン係合している。
【００５３】
従って、電気モータ２の回転は、スプロケットからなる出力ギヤ１６’、サイレントチェーン１７’及びスプロケットからなる中間ギヤ１９’を介して入力軸６に伝達される。なお、サイレントチェーンに代えて、ローラチェーン等の他のチェーンを用いてもよい。本実施の形態では、先の実施の形態に比してアイドラ歯車を必要とせず、その分（第５の軸Ｖの削除）軸支持構造が簡単となり、電気モータ２と無段変速装置３（特にその入力部材２２）との配置設計の自由度が増加するが、出力ギヤスプロケット１６’の小径化に限度を生ずる。
【００５４】
上述した実施の形態は、無段変速装置にコーンリング式の摩擦式無段変速装置を用いたが、これに限らず、２個の円錐形摩擦車の両方を取囲むようにリングを配置する無段変速装置（リングコーン式）、２個の円錐形状の摩擦車の間に、両摩擦車に接触しかつ軸方向に移動する摩擦車を介在する無段変速装置、トロイダル等の球面形状の摩擦車を用いる無段変速装置、並びに入力側及び出力側の摩擦円盤を互いに近づく方向に付勢されている１対のシーブからなるプーリ状摩擦車に挟むように配置し、プーリ状摩擦車を、両摩擦円盤との軸間距離を変更するように移動して変速する無段変速装置等の他の摩擦式無段変速装置を用いてもよい。
【００５５】
また、ギヤ伝動装置の伝達経路を、無段変速装置を経由するように構成してあるが、これに限らず、無段変速装置を経由することなく、電気モータの回転をデフリングギヤ４１に伝達するようにしてもよい。この場合、中間ギヤ１９が入力軸６に回転自在に支持され、該中間ギヤの回転を、直接又はアイドラギヤを介して無段変速装置出力軸２３ａに伝達するように構成する。
【符号の説明】
【００５６】
１      ハイブリッド駆動装置
２      電気モータ
３      摩擦式（コーンリング式）無段変速装置
４      出力軸
５      ディファレンシャル装置
６      入力軸
７      ギヤ伝動装置
９      第１のケース部材
１０      第２のケース部材
１１      ケース
１２      隔壁
１６      出力ギヤ（歯車）
１６’    出力ギヤ（スプロケット）
１７      アイドラ歯車
１９      中間ギヤ（歯車）
１９’    中間ギヤ（スプロケット）
２２      入力部材（摩擦車）
２３      出力部材（摩擦車）
２３ａ    無段変速装置出力軸
４１      デフリングギヤ
４４      無段変速装置出力ギヤ
Ａ      第１の空間
Ｂ      第２の空間
Ｓ      スプライン
【図１】
2011084267.tif 000003
【図２】
2011084267.tif 000004
【図３】
2011084267.tif 000005